(57)【要約】【課題】便座表面温度の均熱化を少ない部材で軽量で実現することを目的とする。【解決手段】内部に空洞部１３を形成した便座９と、前記空洞部１３に配設された輻射型発熱体１６とを備え、前記輻射型発熱体１６上方であって対向する便座上面部１４の厚さを、便座側面部２０の厚さより厚く形成することにより、便座９の表面温度の均熱化が軽量で実現することができる。【選択図】図３
2006325698.tif 000002
【特許請求の範囲】
【請求項１】
内部に空洞部を形成した便座と、前記空洞部に配設した輻射型発熱体とを備え、前記輻射型発熱体上方に位置する便座上面部の厚さを、便座側面部の厚さより厚く形成した便座装置。
【請求項２】
輻射型発熱体を少なくとも便座の側方部と後方部に配設し、前記便座の側方部の便座上面部の厚さを前記便座の後方部の便座上面部の厚さに比べ厚く形成した請求項１に記載の便座装置。
【請求項３】
輻射型発熱体と便座上面部または便座側面部との間に他の部材を配設した部分は、前記部材に対向する便座上面部の厚さをその周辺より薄く形成した請求項１または２に記載の便座装置。
【発明の詳細な説明】
【技術分野】
【０００１】
本発明は、複雑な部材を使用せずに便座表面温度を均熱化した便座装置に関するものである。
【背景技術】
【０００２】
従来この種の便座装置は、輻射反射板を用いて均熱化を図っている（例えば、特許文献１参照）。
【０００３】
図６は、前記公報に記載された従来の便座装置を示すものである。図６に示すように、空洞部１の内部には便座２の便座上面部３に対向して、アルミ板を鏡面仕上げした輻射反射板４と輻射型発熱体５から構成されている。
【特許文献１】特開２０００−０１４５９８号公報
【発明の開示】
【発明が解決しようとする課題】
【０００４】
しかしながら、前記従来の構成では、アルミ板の輻射反射板を折り曲げて均熱化を図っているので、便座が重くなるという課題を有していた。
【０００５】
本発明は、前記従来の課題を解決するもので、軽量で均熱化した便座装置を提供することを目的とする。
【課題を解決するための手段】
【０００６】
前記従来の課題を解決するために、本発明の便座装置は、内部に空洞部を形成した便座と、前記空洞部に配設した輻射型発熱体とを備え、前記輻射型発熱体上方であって対向する便座上面部の厚さを、便座側面部の厚さより厚く形成したものである。
【０００７】
これによって、余分な部材を使用しないため、便座表面温度の均熱化が軽量で可能となる。
【発明の効果】
【０００８】
本発明の便座装置は、便座表面温度の均熱化を少ない部材で軽量で実現することができる。
【発明を実施するための最良の形態】
【０００９】
第１の発明は、内部に空洞部を形成した便座と、前記空洞部に配設した輻射型発熱体とを備え、前記輻射型発熱体上方であって対向する便座上面部の厚さを、便座側面部の厚さより厚く形成したことにより、輻射型発熱体から距離の近い便座上面部の厚さを厚くすることにより熱容量を大きくし昇温速度を抑制し、輻射型発熱体から距離の遠い便座側面部の厚さを薄くすることにより熱容量を小さくし昇温速度を促進することとなり、輻射型発熱体からの距離が異なる便座上面部と便座側面部の昇温速度をほぼ等しくすることができ、別の部品を追加することなく便座の表面温度が均一となり、軽量で均熱化することができる。
【００１０】
第２の発明は、特に、第１の発明の便座装置を輻射型発熱体を少なくとも便座の側方と後方に配設し、前記便座の側方の便座上面部の厚さを前記便座の後方の便座上面部の厚さに比べ厚く形成したことにより、輻射型発熱体から便座上面部への距離の近い便座の側方の厚さを厚くすることにより熱容量を大きくし昇温速度を抑制し、輻射型発熱体から便座上面部への距離の遠い便座の後方の厚さを薄くすることにより熱容量を小さくし昇温速度を促進することとなり、輻射型発熱体からの距離が異なる便座上面部と便座側面部の昇温速度をほぼ等しくすることができ、便座上面部の表面温度を均熱化することができる。
【００１１】
第３の発明は、特に、第１または第２の発明の便座装置を輻射型発熱体を便座との間に部材が配設されると、前記部材に対向する便座上面部の厚さをその周辺より薄く形成したことにより、部材に熱を吸収されて低下した部材近傍の便座上面部の表面温度が均一となり、部材近傍の便座上面部の温度ムラの防止することができる。
【００１２】
以下、本発明の実施の形態について、図面を参照しながら説明する。なお、本実施の形態によって本発明が限定されるものではない。
【００１３】
（実施の形態１）
図１は本発明の第１の実施の形態における便座装置を便器に設置した状態の斜視図を示し、図２は便座の一部断面を含む平面図を示し、図３は便座の要部断面図を示すものである。
【００１４】
図１に示すように、便器６上に本体７が載置固定してある。前記本体７には回動自在に便蓋８及び便座９が設けてあり、前記本体７の袖部７ａには赤外線透過部が設けてあり、その内側にはトイレ空間の人体の有無を検知する赤外線センサ１０が内蔵されている。
【００１５】
次に図２及び図３に示すように、便座９は、合成樹脂製の上ケース１１と下ケース１２のそれぞれの内周縁および外周縁を接合固定することにより、内部に空洞部１３を有する構造となっている。その空洞部１３の内部には便座９の便座上面部１４に対向して、輻射型発熱体１６が設けられている。輻射型発熱体１６の近傍には、輻射型発熱体１６と直列に電気接続したサーモスタット１７及び温度ヒューズ１８が設けられ、万一の不安全事態に対して温度過昇を防止するよう作用する。
【００１６】
また、上ケース１１の内面に設けられた凹部にはサーミスタ１９がはめ込まれており、このサーミスタ１９の信号に基づいて便座９の表面温度が所定の温度になるよう輻射型発熱体１６への通電を制御する制御器（図示せず）が本体７に設けられている。
【００１７】
また、上ケース１１は、輻射型発熱体１６上方であって対向する便座上面部１４の厚さを、便座側面部２０の厚さより厚く形成されている。
【００１８】
以上のように構成された便座装置について、以下その動作、作用を説明する。
【００１９】
まず、使用者がトイレに入室した場合、赤外線センサ１０がそれを検知し、その信号により輻射型発熱体１６が付勢される。これにより投入エネルギーは瞬時に輻射エネルギーに変換され、上ケース１１の方向に放射され、上ケース１１をほぼ瞬時に加温することができるものである。
【００２０】
しかも、上ケース１１は、輻射型発熱体１６から近い距離にあり輻射エネルギーを多く受ける便座上面部１４の厚さを厚くし熱容量を大きくしており、これに対し、輻射型発熱体１６から遠い距離にあり輻射エネルギー少なく受ける便座側面部１７の厚さを薄くし熱容量を小さくすることにより、便座上面部１４と便座側面部１７の昇温速度をほぼ同等にすることができ、便座９の表面温度が均一となる。
【００２１】
以上のように、本実施の形態においては、輻射型発熱体上方であって対向する便座上面部の厚さを、便座側面部の厚さより厚く形成したことにより、別の部品を追加することなく便座の表面温度が均一となり、軽量で均熱化することができる。
【００２２】
（実施の形態２）
図４（ａ）は本発明の第２の実施の形態における便座の側方部の要部断面図を示し、（ｂ）は便座の後方部の要部断面図を示すものである。
【００２３】
本実施の形態においては実施の形態１同様に、輻射型発熱体１６は便座９の側方部９ａと後方部９ｂに配設してあるが、実施の形態１と異なる点は、前記便座９の側方部９ａの便座上面部２１の厚さを前記便座９の後方部９ｂ便座上面部２１の厚さに比べ厚く形成したところである。
【００２４】
なお実施の形態１と同一符号のものは同一構造を有し、再度の説明は省略する。
【００２５】
上記構成とすることにより、輻射型発熱体１６が発熱すると輻射型発熱体１６から便座上面部２１への距離の近い便座９の側方部９ａと、輻射型発熱体１６から便座上面部２１への距離の遠い便座９の後方部９ｂに輻射エネルギーが伝わり便座９を昇温するが、便座９の側方部９ａの便座上面部３の厚さを便座９の後方部９ｂの便座上面部３の厚さに比べ厚く形成しているので、便座２の表面温度が均一となる。
【００２６】
以上のように、本実施の形態においては、輻射型発熱体から便座上面部への距離の近い便座の側方部と、輻射型発熱体から便座上面部への距離の遠い便座の後方部との、便座上面部の表面温度が均一となり、便座上面部の表面温度を均熱化することができる。
【００２７】
（実施の形態３）
図５は、本発明の第３の実施の形態における便座の要部断面図である。
【００２８】
実施の形態１および２の構成と異なるところは、輻射型発熱体１６を便座９との間に部材２２が配設されると、輻射型発熱体１６と部材２２が投影する便座上面部２３の投影部２４の厚さをその周辺より薄く形成したところである。
【００２９】
なお実施の形態１、２と同一符号のものは同一構造を有し、再度の説明は省略する。
【００３０】
上記構成とすることにより、輻射型発熱体１６が輻射エネルギーを放射すると部材２２で輻射エネルギーの一部を熱を吸収あるいは反射し、便座上面部３の投影部２４へ伝わる輻射エネルギーは他の部分より少なくなり、投影部２３の温度上昇は部材２２の影響を受けない便座上面部３の他の部分より遅くなるが、投影部２４の厚さを薄くすることにより、便座９の表面温度は均一となる。
【００３１】
以上のように、本実施の形態においては、部材の投影部と他の部分便座上面部の表面温度が均一となり、部材近傍の便座上面部の温度ムラを防止することができる。
【産業上の利用可能性】
【００３２】
以上のように、本発明にかかる便座装置は、便座表面の温度を均一にすることが可能となるので、各種暖房器具の用途にも適用できる。
【図面の簡単な説明】
【００３３】
【図１】本発明の実施の形態１における便座装置の斜視図
【図２】本発明の実施の形態１における便座装置の便座の平面図
【図３】本発明の実施の形態１における便座装置の便座の要部断面図
【図４】（ａ）本発明の実施の形態２における便座の側方部の要部断面図（ｂ）便座の後方部の要部断面図
【図５】本発明の実施の形態３における便座装置の要部断面図
【図６】従来の便座装置の要部断面図
【符号の説明】
【００３４】
９  便座
９ａ  側方部
９ｂ  後方部
１３  空洞部
１４、２１、２３  便座上面部
１６  輻射型発熱体
２０  便座側面部
２２  部材
【図１】
2006325698.tif 000003
【図２】
2006325698.tif 000004
【図３】
2006325698.tif 000005
【図４】
2006325698.tif 000006
【図５】
2006325698.tif 000007
【図６】
2006325698.tif 000008